(57)【特許請求の範囲】
【請求項１】
本体と、該本体の上面で左右に配設された１対の第１空気袋体と、該本体の底面で上面と同じ方向に配設された１対の第２空気袋体と、前記１対の第１空気袋体及び前記１対の第２空気袋体とを覆って設けられた滑り防止部材と、ここで前記第２空気袋体の容積は、前記第１空気袋体の容積より大きく、を備え、前記本体の上面で左側に配設された前記第１空気袋体と前記本体の底面で右側に配設された第２空気袋体にそれぞれ加圧空気が供給され、次に前記本体の上面で右側に配設された前記第１空気袋体と前記本体の底面で左側に配設された第２空気袋体にそれぞれ加圧空気が供給され、前記本体に尻部が載った際に、自分の体重で尻部の左右方向が、交互に揺動され押圧されるため、骨盤に左右方向に捻転作用を生じてなる骨盤調整装置。
【請求項２】
本体と、該本体の上面でほぼ中央に配設された第１空気袋体と、該本体の上面で該第１空気袋体と同じ方向で外方に配設された１対の第２空気袋体と、前記１対の第１空気袋体及び前記１対の第２空気袋体とを覆って設けられた滑り防止部材と、ここで前記第１空気袋体の容積は、前記第２空気袋体の容積より大きく、該第１空気袋体を前記本体のほぼ中央で固定するための第１固定具と、前記第１空気袋体側でそれぞれ配設され該第２空気袋体を固定するための１対の第２固定具とを備え、ここで前記第１固定具とそれぞれの前記第２固定具との間隔は等しく、該間隔は、前記本体の幅の約３分の１に設定され、かくして前記本体の上面に配設された前記第１固定具より左側の前記第１空気袋体と、前記本体の上面で前記第１空気袋体の外側右に配設された第２空気袋体にそれぞれ加圧空気が供給され、次に前記本体の上面に配設された前記第１固定具より右側の前記第１空気袋体と、前記本体の上面で前記第１空気袋体の外側左に配設された第２空気袋体にそれぞれ加圧空気が供給され、前記本体に尻部が載った際に、自分の体重で尻部の左右方向が、交互に揺動され押圧されるため、骨盤に左右方向に捻転作用を生じてなる骨盤調整装置。
【発明の詳細な説明】
【０００１】
【産業上の利用分野】
本発明は、空気圧送風器を使用した敷物に関する。
【０００２】
【従来の技術】
従来から加圧空気を利用した種々の空気マッサージは、知られている。この種の空気式マッサージは、袋体を両足にそれぞれ巻き付け、袋体に順次空気を供給し、又は加圧度の異なる空気を足を供給して足をマッサージする。しかし、空気圧を使用して人体の骨盤や腎部を調整する空気圧送風器を使用した敷物は考えられていなかった。
【０００３】
【発明が解決しようとする課題】
本発明は、上述した従来の欠点を解決することを鑑みてなされたもので、本発明の目的は、空気圧を使用して人体の骨盤や腎部に捻転を生じさせることにより人体の骨盤や腎部を容易に簡単に効果的に調整することができる敷物を提供することにある。
【０００４】
【謀題を解決するための手段】
請求項１に係る敷物は、本体と；該本体の上面で左右に配設された１対の第１空気袋体と；該本体の底面で上面と同じ方向に配設された１対の第２空気袋体と、ここで該第２空気袋体の容積は、該第１空気袋体の容積より大きく；を備え、かくして、該本体の上面で左側に配設された第１空気袋体と、該本体の底面で右側に配設された第２空気袋体にそれぞれ加圧空気が供給され、該本体の上面で右側に配設された第１空気袋体と、該本体の底面で左側に配設された第２空気袋体にそれぞれ加圧空気が供給されてなる。
【０００５】
請求項２に係る敷物は、本体と；該本体の上面で左右及び上下に配設されたそれぞれ１対の第１空気袋体と；該本体の底面で上面と同じ方向に配設されたそれぞれ１対の第２空気袋体と、ここで該第２空気袋体の容積は、該第１空気袋体の容積より大きく；を備え、かくして、該本体の上面で左側に配設された第１空気袋体と、該本体の底面で右側に配設された第２空気袋体にそれぞれ加圧空気が供給され、該本体の上面で右側に配設された第１空気袋体と、該本体の底面で左側に配設された第２空気袋体にそれぞれ加圧空気が供給され、該本体の上面で上側に配設された第１空気袋体と、該本体の底面で下側に配設された第２空気袋体にそれぞれ加圧空気が供給され、該本体の上面で下側に配設された第１空気袋体と、該本体の底面で上側に配設された第２空気袋体にそれぞれ加圧空気が供給されてなる。
【０００６】
請求項３に係る敷物は、本体と；該本体の上面で左右に配設された１対の第１空気袋体と；該本体の上面で同じ方向に配設された１対の第２空気袋体と、ここで該第１空気袋体の容積は、該第２空気袋体の容積より大きく、かつ該第１空気袋体の一端は、前記本体のほぼ中央で固定され、一方第２空気袋体の一端は、前記本体のほぼ中央より外方で固定され；を備え、かくして、該本体の上面で左側に配設された第１空気袋体と、該本体の上面で右側に配設された第２空気袋体にそれぞれ加圧空気が供給され、該本体の上面で左側に配設された第２空気袋体と、該本体の上面で右側に配設された第１空気袋体にそれぞれ加圧空気が供給されてなる。
【０００７】
請求項４に係る敷物は、互いに離間して配設された第１及び第２の本体と；該第１及び第２本体の上面で左右に配設された１対の第１空気袋体と；該第１及び第２本体の底面で上面と同じ方向に配設された１対の第２空気袋体と、ここで該第２空気袋体の容積は、該第１空気袋体の容積より大きく；前記１対の本体を連結する連結部材と；を備え、かくして、該第１本体の上面で左側に配設された第１空気袋体と、該第２本体の底面で右側に配設された第２空気袋体にそれぞれ加圧空気が供給され、該第１本体の上面で右側に配設された第１空気袋体と、該第２本体の底面で左側に配設された第２空気袋体にそれぞれ加圧空気が供給されてなる。
【０００８】
請求項５に係る敷物は、前記袋体を覆って滑り止め部材を備えることを特徴とする。
【０００９】
【発明の実施の形態】
以下、本発明の実施例を図面を参照して詳述する。
図１（ａ）及び図１（ｂ）は、空気圧送風器を使用した座布団の概略図であり、図１（ａ）は、座布団の上面の概略図、図１（ｂ）は座布団の底面の概略図である。該図において、符号１０は、座布団の本体である。本体は綿等を入れて厚さ１０ｃｍ、縦横４０から５０ｃｍで構成されている。この本体の上面は左右に所定の間隔をもって１対の空気袋体１２、１４を備える。さらに、この本体の底面は左右に所定の間隔をもって１対の空気袋体１６、１８を備える。上面の空気袋体１２、１４と底面の空気袋体１６、１８とは、同じ向きに配置される。上面及び底面の空気袋体１２、１４及び１６、１８において、上面の空気袋体１２、１４の容積は、底面の空気袋体１６、１８の容積より小さく形成されている。ここで、上面の空気袋体は、敷物に人が座り、そして底面の空気袋体に空気が供給された時に、座布団に尻部が乗った際に、その尻部が座布団からずれ落ちるのを防止する防止作用を果たす。
【００１０】
図２（ａ）は、空気袋体に空気を供給するための空気供給装置を示す。上面及び底面の空気袋体１２、１４及び１６、１８は、該図に示すように、空気圧縮器２０により加圧空気が、導管２２、２４を通ってそれぞれ上面及び底面の空気袋体１２、１４及び１６、１８の送られる。ここで、図２（ｂ）に示すように、該空気は、上面の空気袋体１４及び底面の空気袋体１６に供給される。一方、図２（ｃ）に示すように、空気は、上面袋体１２及び底面の空気袋体１８に供給される。なお、符号２６は、人体の尻部である。かくして、該空気が、座布団の袋体１４及び１６、次に袋体１２及び１８に交互に順次繰り返し供給される。このように自分の体重で骨盤の左右方法が、交互に揺動され押圧されるため、骨盤で左右の捻転作用を生じる。
【００１１】
図３（ａ）及び図３（ｂ）は、空気圧送風器を使用した他の座布団の概略図である。該図において、図３（ａ）は、座布団の上面の概略図、図３（ｂ）は座布団の底面の概略図である。該図において、符号１０は、座布団の本体である。この本体の上面は上下及び左右に所定の間隔をもってそれぞれ１対の空気袋体１２、１４及び２８、３０を備える。さらに、この本体の底面は上下及び左右に所定の間隔をもってそれぞれ１対の空気袋体１６、１８及び３２、３４を備える。上面の空気袋体１２、１４及び２８、３０と底面の空気袋体１６、１８及び３２、３４とは、それぞれ同じ向きに配置される。底面の空気袋体１６、１８は、空気袋体３２、３４の上方に配設される。上面の空気袋体１２、１４及び２８、３０の容積は、底面の空気袋体１６、１８及び３２、３４の容積より小さく形成されている。ここで、上面の空気袋体は、敷物に人が座り、そして底面の空気袋体に空気が供給された時に、座布団の尻部が乗った際に、その尻部が座布団からずれ落ちるのを防止するずれ落ち防止作用を果たす。
【００１２】
かくして、加圧空気が、座布団の袋体１４と１６、次に袋体１２と１８、次に袋体２８と３４、次に袋体３０と３２に上下、左右に交互に順次繰り返し供給される。このように自分の体重で尻部の上下方向及び左右が、交互に揺動され押圧されるため、骨盤で左右及び上下に捻転作用を生じる。このよう該敷物は、人体の骨盤を調整する作用を備える。
【００１３】
図４は、空気圧送風器を使用した他の座布団の断面図である。該図において、符号１０は、座布団の本体である。座布団の上面の左右に空気容積の大きい袋体３５、３６が本体のほぼ中央で固定具３９を使用して固定される。従って、袋体３５、３６は、矢印の方向に向かって膨らむ。さらに、座布団の上面の左右に空気容積の小さい袋体３７、３８が本体の中央より外方で所定の間隔をもって配設された固定具４０を使用して固定される。固定具３９と固定具３７との間隔、及び固定具３９と固定具３８との間隔は、それぞれ等しいことが好ましい。その間隔は、例えば座布団の幅の約３分の１に設定されている。袋体３５、３６と袋体３７、３８とは、同じ向きに配置される。従って、袋体３７、３８は、矢印の方向に向かって膨らむが、上述した袋体３５、３６に比べて袋体の膨らみ方は小さい。かくして、まず、空気圧送風器から加圧空気が、袋体３５及び袋体３８に供給され、次に加圧空気が、袋体３６及び袋体３７に供給される。この動作が繰り代えされる。
【００１４】
上述した図２（ａ）及び図２（ｂ）に示される前記袋体１２、１４、１６、１８、さらに、図３（ａ）及び図３（ｂ）に示される前記袋体１２、１４、２８、３０、１６、１８、３２、３４、また図４に示され袋体３５、３６、３７、３８を覆ってゴム等の滑り防止部材７０が設けられている。従って、敷物に人の尻部が載って袋体に空気が入っても尻部が固定される。さらに、図２（ａ）及び図２（ｂ）、図３（ａ）及び図３（ｂ）において、敷物を椅子等に設置する際に、敷物と椅子とを固定するためにマジックテープ等の接着部材７２を取付けることが好ましい。同様に、図４の敷物において、敷物の本体の裏側に接着部材７２を取り付けることが好ましい。
【００１５】
図５は、空気圧送風器を使用したさらに他の座布団の概略図である。該図において、符号４１、４２は、弾性可能な板材の敷物であり、左右にそれぞれ配設されており、これら板材４１、４２は、弾性部材で作られた柔軟な変形可能な連結板４４により連結される。１対の板材と連結部材との長さは、人が横たわることができる長さであり、１９０ｃｍから２００ｃｍである。板材４０は、その上面及び底面の左右のそれぞれ対応した位置に空気袋体４６、４８及び５０、５２を備える。同様に、板材４２は、その上面及び底面の左右のそれぞれ対応した位置に空気袋体５４、５６及び５８、６０を備える。板材４０及び４２の上面の空気袋体４６、４８及び５４、５６の容積は、底面の空気袋体５０、５２及び５８、６０の容積より小さく形成されている。ここで、上面の空気袋体は、板材の敷物に人が横たわり、そして底面の空気袋体が空気が供給された時に、人が敷物からずれ落ちるのを防止するずれ落ち防止作用を果たす。
【００１６】
かくして、板材４０の上面の空気袋体４６及び底面の空気袋体５２、かつ板材４２の上面の空気袋体５６及び底面の空気袋体５８にそれぞれ加圧空気が供給される。よって、人体の上半身部と腎部から下の下半身部に捻転が生じることになる。次に、板材４０の上面の空気袋体４８及び底面の空気袋体５０、かつ板材４２の上面の空気袋体５４及び底面の空気袋体６０にそれぞれ加圧空気が供給される。よって、人体の上半身部と腎部から下の下半身部に逆方向の捻転が生じることになる。
【００１７】
【発明の効果】
発明による敷物によれば、空気圧を使用して人体の骨盤や腎部に捻転を生じさせることにより容易に簡単に効果的に人体の骨盤や腎部を調整できる。
【図面の簡単な説明】
【図１（ａ）】図１（ａ）は、本発明に係る敷物の上面を示す概略図である。
【図１（ｂ）】図１（ｂ）は、本発明に係る敷物の底面を示す概略図である。
【図２（ａ）】図２（ａ）は、空気袋体に空気を供給するための空気供給装置を示す概略図である。
【図２（ｂ）】図２（ｂ）は、空気袋体に空気が供給される第１状態を示す概略図である。
【図２（ｃ）】図２（ｃ）は、空気袋体に空気が供給される第２状態を示す概略図である。
【図３（ａ）】図３（ａ）は、本発明に係る他の敷物の上面を示す概略図である。
【図３（ｂ）】図３（ｂ）は、本発明に係る他の敷物の底面を示す概略図である。
【図４】図４は、本発明に係るさらに他の敷物の上面を示す概略図である。
【図５】図５は、本発明に係るさらに他の敷物の上面を示す概略図である。
１２、１４、４６、４８、５６、５４：第１空気袋体
１６、１８、５０、５２、５８、６０：第２空気袋体
２０：空気圧縮器
２２，２４：導管
４４：連結板
７０：滑り防止部材
７２：接着部材
【図１（ａ）】
0003903278.tif 000002
【図１（ｂ）】
0003903278.tif 000003
【図２（ａ）】
0003903278.tif 000004
【図２（ｂ）】
0003903278.tif 000005
【図２（ｃ）】
0003903278.tif 000006
【図３（ａ）】
0003903278.tif 000007
【図３（ｂ）】
0003903278.tif 000008
【図４】
0003903278.tif 000009
【図５】
0003903278.tif 000010